(57)【要約】【課題】コンパクトに折りたたむことが可能な梱包箱を提供する。【解決手段】対向する第２の側面部と第４の側面部とには、それぞれ底面から上面へと延びる側面折り目が設けられている。第１の蓋部において、第１の側面部の上縁から、第２及び第４の側面部の折りたたみ厚に応じた距離だけ離れた位置に、この上縁と対応する方向に延びる蓋折り目が設けられている。そして、第２及び第４の側面部が、側面折り目に沿って梱包箱の内側に折りたたまれ、底面部が、梱包箱の内側に折りたたまれ、第１の蓋部が、蓋折り目に沿って側面部側に折り曲げられる。【選択図】図４
2010260622.tif 000002
【特許請求の範囲】
【請求項１】
中空の直方体形状の各側面を各々連なって形成する第１乃至第４の側面部と、
前記第１乃至第４の側面部の下縁に対して前記直方体形状の内側に折りたたみ可能に設けられ、折りたたまれていない状態においては前記直方体形状の底面を形成する底面部と、
前記第１の側面部の上縁に対して折りたたみ可能に設けられ、前記第１乃至第４の側面部の上縁によって囲まれた開口部を塞いで、前記直方体形状の上面を形成する第１の蓋部とを有し、
対向する前記第２の側面部と前記第４の側面部には、それぞれ前記底面から前記上面へと延び、当該側面部を前記直方体形状の内側へ突出するように折り曲げることができる側面折り目が設けられており、
前記第１の蓋部において、前記第１の側面部の上縁から、前記第２及び第４の側面部がそれぞれ前記側面折り目に沿って折りたたまれたときの当該側面部の折りたたみ厚に応じた距離だけ離れた位置に、当該上縁と対応する方向に延びる第１の蓋折り目が設けられており、
前記第２及び第４の側面部が、それぞれ前記側面折り目に沿って当該梱包箱の内側に折りたたまれ、
前記底面部が、当該梱包箱の内側に折りたたまれ、
前記第１の蓋部が、前記第２及び前記第４の側面部と前記底面部とが折りたたまれた状態における前記第２乃至第４の側面部の上縁を覆い、さらに前記第１の蓋折り目に沿って当該側面部側に折り曲げられる
ことを特徴とする梱包箱。
【請求項２】
前記第２乃至第４の側面部の上縁に対してそれぞれ折りたたみ可能に設けられ、当該側面部の上縁から当該上縁と対向する辺までの長さが、前記第１の蓋部の当該長さよりも短い第２乃至第４の蓋部を有し、
前記第２の蓋部が設けられた前記第２の側面部の前記側面折り目が、当該第２の蓋部に延長して設けられており、前記第４の蓋部が設けられた前記第４の側面部の前記側面折り目が、当該第４の蓋部に延長して設けられており、
前記第１の蓋部において、前記第１の側面部の上縁から、前記第２乃至第４の蓋部の前記長さに応じた距離だけ離れた位置に、当該上縁と対応する方向に延びる第２の蓋折り目が設けられており、
前記第１の蓋部において、前記第１の蓋折り目は、前記第２の蓋折り目から前記第２又は第４の側面部の折りたたみ厚に応じた距離だけ離れた位置に設けられており、
前記第２の蓋部は、前記第２の側面部に対して折りたたまれていない状態で、前記側面折り目に沿って折りたたまれ、前記第４の蓋部は、前記第４の側面部に対して折りたたまれていない状態で、前記側面折り目に沿って折りたたまれ、
前記第１の蓋部は、前記第２の蓋折り目に沿って折り曲げられて、前記第２及び前記第４の側面部と前記底面部とが折りたたまれた状態における前記第２乃至第４の蓋部の上縁を覆い、さらに前記第１の蓋折り目に沿って当該側面部側に折り曲げられる
ことを特徴とする請求項１に記載の梱包箱。
【請求項３】
前記第２乃至第４の蓋部の前記長さはいずれも同一である
ことを特徴とする請求項２に記載の梱包箱。
【請求項４】
前記第１の蓋部には、当該第１の蓋部を補強するための補強部材が設けられている
ことを特徴とする請求項１から３のいずれか１項に記載の梱包箱。
【請求項５】
前記第１の蓋部の外面において、前記開口部を塞いだときに前記第２乃至第４の側面部と接する外縁を含む第１の領域と、当該第２乃至第４の側面部の外面において当該第１の領域と隣り合う第２の領域とには、粘着テープが繰り返し貼付される被貼付部材が設けられる
ことを特徴とする請求項１から４のいずれか１項に記載の梱包箱。
【請求項６】
前記底面部は複数あり、前記第１乃至第４の側面部にそれぞれ設けられ、前記折りたたまれていない状態においては、複数の当該底面部が互いに組み合わされて前記底面を形成し、
前記第１の側面部に設けられた前記底面部と前記第２の側面部に設けられた前記底面部とにおいて、前記組み合わされたときに互いに重なり合う領域が接着されており、
前記第３の側面部に設けられた前記底面部と前記第４の側面部に設けられた前記底面部とにおいて、前記組み合わされたときに互いに重なり合う領域が接着されている
ことを特徴とする請求項１から５のいずれか１項に記載の梱包箱。
【発明の詳細な説明】
【技術分野】
【０００１】
本発明は、荷物を収容する梱包箱に関する。
【背景技術】
【０００２】
折りたたみ可能な梱包箱が知られている。例えば、特許文献１，２には、折りたたみ可能なコンテナが開示されている。また、特許文献３には、折りたたみ可能な布製の通い箱が開示されている。
【先行技術文献】
【特許文献】
【０００３】
【特許文献１】特開２００９−１３１３号公報
【特許文献２】特開２００１−１５１２３０号公報
【特許文献３】特開２００５−１６２２５５号公報
【発明の概要】
【発明が解決しようとする課題】
【０００４】
上述したような折りたたみ可能なコンテナは、コンテナ自体の重量が大きいため、荷物の積み下ろし作業などで一度に持てる個数が限られる。また、コンテナの重量が大きい分だけ配送料金も高くなってしまう。ところで、このような折りたたみ可能な梱包箱を荷物の配送に用いる場合には、配送先において梱包箱から荷物を取り出した後、梱包箱を折りたたんで送り返すようになっている。このとき、梱包箱をできるだけコンパクトに折りたためることが望ましい。
本発明は、コンパクトに折りたたむことが可能な梱包箱を提供することを目的とする。
【課題を解決するための手段】
【０００５】
本発明に係る梱包箱は、中空の直方体形状の各側面を各々連なって形成する第１乃至第４の側面部と、前記第１乃至第４の側面部の下縁に対して前記直方体形状の内側に折りたたみ可能に設けられ、折りたたまれていない状態においては前記直方体形状の底面を形成する底面部と、前記第１の側面部の上縁に対して折りたたみ可能に設けられ、前記第１乃至第４の側面部の上縁によって囲まれた開口部を塞いで、前記直方体形状の上面を形成する第１の蓋部とを有し、対向する前記第２の側面部と前記第４の側面部には、それぞれ前記底面から前記上面へと延び、当該側面部を前記直方体形状の内側へ突出するように折り曲げることができる側面折り目が設けられており、前記第１の蓋部において、前記第１の側面部の上縁から、前記第２及び第４の側面部がそれぞれ前記側面折り目に沿って折りたたまれたときの当該側面部の折りたたみ厚に応じた距離だけ離れた位置に、当該上縁と対応する方向に延びる第１の蓋折り目が設けられており、前記第２及び第４の側面部が、それぞれ前記側面折り目に沿って当該梱包箱の内側に折りたたまれ、前記底面部が、当該梱包箱の内側に折りたたまれ、前記第１の蓋部が、前記第２及び前記第４の側面部と前記底面部とが折りたたまれた状態における前記第２乃至第４の側面部の上縁を覆い、さらに前記第１の蓋折り目に沿って当該側面部側に折り曲げられることを特徴とする。これにより、コンパクトに折りたたむことが可能な梱包箱を提供することができる。
【０００６】
本発明に係る梱包箱においては、前記第２乃至第４の側面部の上縁に対してそれぞれ折りたたみ可能に設けられ、当該側面部の上縁から当該上縁と対向する辺までの長さが、前記第１の蓋部の当該長さよりも短い第２乃至第４の蓋部を有し、前記第２の蓋部が設けられた前記第２の側面部の前記側面折り目が、当該第２の蓋部に延長して設けられており、前記第４の蓋部が設けられた前記第４の側面部の前記側面折り目が、当該第４の蓋部に延長して設けられており、前記第１の蓋部において、前記第１の側面部の上縁から、前記第２乃至第４の蓋部の前記長さに応じた距離だけ離れた位置に、当該上縁と対応する方向に延びる第２の蓋折り目が設けられており、前記第１の蓋部において、前記第１の蓋折り目は、前記第２の蓋折り目から前記第２又は第４の側面部の折りたたみ厚に応じた距離だけ離れた位置に設けられており、前記第２の蓋部は、前記第２の側面部に対して折りたたまれていない状態で、前記側面折り目に沿って折りたたまれ、前記第４の蓋部は、前記第４の側面部に対して折りたたまれていない状態で、前記側面折り目に沿って折りたたまれ、前記第１の蓋部は、前記第２の蓋折り目に沿って折り曲げられて、前記第２及び前記第４の側面部と前記底面部とが折りたたまれた状態における前記第２乃至第４の蓋部の上縁を覆い、さらに前記第１の蓋折り目に沿って当該側面部側に折り曲げられてもよい。これにより、開口部を隙間なく塞ぐことができる。
【０００７】
本発明に係る梱包箱において、前記第２乃至第４の蓋部の前記長さはいずれも同一であってもよい。これにより、梱包箱をよりコンパクトに折りたたむことができる。
【０００８】
本発明に係る梱包箱において、前記第１の蓋部には、当該第１の蓋部を補強するための補強部材が設けられていてもよい。これにより、第１の蓋部の強度を補うことができる。
【０００９】
本発明に係る梱包箱においては、前記第１の蓋部の外面において、前記開口部を塞いだときに前記第２乃至第４の側面部と接する外縁を含む第１の領域と、当該第２乃至第４の側面部の外面において当該第１の領域と隣り合う第２の領域とには、粘着テープが繰り返し貼付される被貼付部材が設けられてもよい。これにより、粘着テープで第１の蓋部を第２乃至第４の側面部に止めたり、粘着テープを剥がしたりすることができる。
【００１０】
本発明に係る梱包箱において、前記底面部は複数あり、前記第１乃至第４の側面部にそれぞれ設けられ、前記折りたたまれていない状態においては、複数の当該底面部が互いに組み合わされて前記底面を形成し、前記第１の側面部に設けられた前記底面部と前記第２の側面部に設けられた前記底面部とにおいて、前記組み合わされたときに互いに重なり合う領域が接着されており、前記第３の側面部に設けられた前記底面部と前記第４の側面部に設けられた前記底面部とにおいて、前記組み合わされたときに互いに重なり合う領域が接着されていてもよい。これにより、複数の底面部を連動して折りたたむことができる。
【図面の簡単な説明】
【００１１】
【図１】実施形態に係る梱包箱の構成を示す斜視図。
【図２】底面部の組み合わせ構造について説明する図。
【図３】開口部が閉じられた状態の梱包箱を示す上面図。
【図４】梱包箱を折りたたむ様子を示す上面図。
【図５】蓋部を折り曲げる様子を示す側面図。
【図６】折りたたまれた状態の梱包箱を示す図。
【発明を実施するための形態】
【００１２】
まず、本実施形態に係る梱包箱１の構成について説明する。梱包箱１は、例えば紙製のダンボール箱であり、荷物の配送等に利用される。
図１は、梱包箱１の構成を示す斜視図である。同図に示すように、梱包箱１は、直方体の形状をしており、側面部１０ａ，１０ｂ，１０ｃ，１０ｄと、底面部２０ａ，２０ｂ，２０ｃ，２０ｄと、蓋部３０ａ，３０ｂ，３０ｃ，３０ｄとを備えている。なお、以下の説明では、これらの部材において、梱包箱１の内部に接する面を「内面」といい、この内面と反対の面を「外面」という。
【００１３】
側面部１０ａ，１０ｂ，１０ｃ，１０ｄ（第１乃至第４の側面部）は、梱包箱１の側面を形成する矩形の部材である。側面部１０ａと側面部１０ｂ、側面部１０ａと側面部１０ｄとは、それぞれ接着されている。また、側面部１０ｂ，１０ｃ，１０ｄは、一体に形成されている。具体的には、側面部１０ｂ，１０ｃ，１０ｄは、１つの部材が各々の側面部の境界線で折り曲げられて形成されている。つまり、側面部１０ａ，１０ｂ，１０ｃ，１０ｄは、中空の直方体形状の各側面を各々連なって形成する。
【００１４】
側面部１０ｂ及び蓋部３０ｂには、側面部１０ｂの底面側の辺（以下、「底辺」という）の中心位置からこの底辺と直交する方向に延びる側面折り目１１ｂが設けられている。これにより、利用者は、側面部１０ｂ及び蓋部３０ｂを側面折り目１１ｂに沿って梱包箱１の内側へ突出するように折り曲げることができる。また、側面部１０ｄ及び蓋部３０ｄには、側面部１０ｄの底辺の中心位置からこの底辺と直交する方向に延びる側面折り目１１ｄが設けられている。これにより、利用者は、側面部１０ｄ及び蓋部３０ｄを側面折り目１１ｄに沿って梱包箱１の内側へ突出するように折り曲げることができる。つまり、梱包箱１において対向する側面部１０ｂと側面部１０ｄには、それぞれ梱包箱１の底面から上面へと延び、その側面部を直方体形状の内側へ突出するように折り曲げることができる側面折り目１１ｂ，１１ｄが設けられており、さらに、側面部１０ｂの側面折り目１１ｂが蓋部３０ｂに延長して設けられており、側面部１０ｄの側面折り目１１ｄが蓋部３０ｄに延長して設けられている。この側面折り目１１ｂ，１１ｄは、例えば圧縮などの加工を施すことによって付加される。
【００１５】
底面部２０ａ，２０ｂ，２０ｃ，２０ｄは、互いに組み合わされて梱包箱１の底面を形成する部材である。底面部２０ａは、側面部１０ａと一体に形成されており、側面部１０ａの底辺を回転軸として回動自在に設けられている。同様に、底面部２０ｂ，２０ｃ，２０ｄは、それぞれ側面部１０ｂ，１０ｃ，１０ｄと一体に形成されており、その側面部の底辺を回転軸として回動自在に設けられている。これにより、利用者は、底面部２０ａ，２０ｂ，２０ｃ，２０ｄを梱包箱１の内側に折りたたむことができる。つまり、底面部２０ａ，２０ｂ，２０ｃ，２０ｄは、それぞれ側面部１０ａ，１０ｂ，１０ｃ，１０ｄに対して直方体形状の内側に折りたたみ可能に設けられ、折りたたまれていない状態においては互いに組み合わされて直方体形状の底面を形成する。
【００１６】
蓋部３０ａ（第１の蓋部）は、側面部１０ａ，１０ｂ，１０ｃ，１０ｄの上縁によって囲まれた開口部と同様の大きさを有しており、この開口部を塞いで梱包箱１の上面を形成する矩形の部材である。蓋部３０ａは、側面部１０ａと一体に形成されており、側面部１０ａの上面側の辺（以下、「上辺」という）を回転軸として回動自在に設けられている。これにより、利用者は、蓋部３０ａを梱包箱１の内側に折りたたんだり、梱包箱１の外側に開いたりすることができる。つまり、蓋部３０ａは、側面部１０ａ（第１の側面部）の上縁に対して折りたたみ可能に設けられ、側面部１０ａ乃至１０ｄの上縁によって囲まれた開口部を塞いで、直方体形状の上面を形成する。また、蓋部３０ａの内面には、蓋部３０ａを補強するための補強部材３５が設けられている。
【００１７】
蓋部３０ｂ，３０ｃ，３０ｄ（第２乃至第４の蓋部）は、蓋部３０ａとともに上述した開口部を閉じて、梱包箱１の上面を形成する矩形の部材である。蓋部３０ｂ，３０ｃ，３０ｄは、それぞれ側面部１０ｂ，１０ｃ，１０ｄと一体に形成されており、その側面部の上辺を回転軸として回動自在に設けられている。これにより、利用者は、上述した蓋部３０ａと同様に、蓋部３０ｂ，３０ｃ，３０ｄを梱包箱１の内側に折りたたんだり、梱包箱１の外側に開いたりすることができる。つまり、蓋部３０ｂ，３０ｃ，３０ｄは、側面部１０ｂ，１０ｃ，１０ｄの上縁に対してそれぞれ折りたたみ可能に設けられている。蓋部３０ｂ，３０ｃ，３０ｄの突出方向の長さは、いずれも同一であり、蓋部３０ａの突出方向の長さよりも短い。この突出方向の長さとは、蓋部３０ａ，３０ｂ，３０ｃ，３０ｄにおいて、自身が設けられた側面部の上辺からその上辺に対向する辺までの上辺と直交する方向の長さのことである。
【００１８】
また、蓋部３０ａには、側面部１０ａの上辺と平行に、蓋折り目３１ｈ（第２の蓋折り目）と蓋折り目３１ｉ（第１の蓋折り目）とが設けられている。この蓋折り目３１ｈは、蓋部３０ｂ，３０ｃ，３０ｄの突出方向の長さ分だけ側面部１０ａの上辺から離れた位置に設けられている。つまり、蓋部３０ａには、側面部１０ａの上縁から、蓋部３０ｂ乃至３０ｄの突出方向の長さに応じた距離だけ離れた位置に、その上縁と対応する方向に延びる蓋折り目３１ｈが設けられている。この側面部１０ａの上辺と蓋折り目３１ｈとの間の距離Ｌ１は、蓋部３０ｂ，３０ｃ，３０ｄの突出方向の長さと等しい。また、蓋折り目３１ｉは、折りたたまれた状態における側面部１０ｂ，１０ｄの折りたたみ厚分だけ蓋折り目３１ｈから離れた位置に設けられている。つまり、蓋部３０ａには、蓋折り目３１ｈから、側面部１０ｂ，１０ｄがそれぞれ側面折り目１１ｂ，１１ｄに沿って折りたたまれたときのその側面部の折りたたみ厚に応じた距離だけ離れた位置に、蓋折り目３１ｈと対応する方向に延びる蓋折り目３１ｉが設けられている。この蓋折り目３１ｈと蓋折り目３１ｉとの間の距離Ｌ２は、折りたたまれた状態における側面部１０ｂ，１０ｄの折りたたみ厚と等しい。この折りたたみ厚とは、折りたたまれた状態における側面部１０ｂ，１０ｄの図中の矢印Ｙ方向の長さのことをいう。具体的には、折りたたまれた状態における側面部１０ａと側面部１０ｂ又は１０ｄとの境界線から、側面部１０ｃと側面部１０ｂ又は１０ｄとの境界線までの図中の矢印Ｙ方向の長さが折りたたみ厚として用いられる。
【００１９】
ここで、図２を参照して、底面部２０ａ，２０ｂ，２０ｃ，２０ｄの組み合わせ構造について説明する。まず、梱包箱１の底面の一番下の層には、底面部２０ｂと底面部２０ｄとが配置される。図２（ａ）は、底面部２０ｂ及び底面部２０ｄが配置された様子を示す上面図である。同図に示すように、底面部２０ｂ及び底面部２０ｄは、それぞれ梱包箱１の底面の対角線に沿って対向する一方の端が切り取られたような形状をしている。底面部２０ｂ及び底面部２０ｄの図中の矢印Ｘ方向の長さは、それぞれ梱包箱１の底面の矢印Ｘ方向の長さの半分よりも短い。
【００２０】
また、底面部２０ｂには、底面折り目２１ｂと底面折り目２２ｂとが設けられている。この底面折り目２１ｂは、側面部１０ｂの側面折り目１１ｂに対応する位置に設けられている。また、底面折り目２２ｂは、梱包箱１の底面の対角線に沿って設けられている。同様に、底面部２０ｄには、底面折り目２１ｄと底面折り目２２ｄとが設けられている。この底面折り目２１ｄは、側面部１０ｄの側面折り目１１ｄに対応する位置に設けられている。また、底面折り目２２ｄは、梱包箱１の底面の対角線に沿って設けられている。
【００２１】
底面部２０ｂ，２０ｄの上には、底面部２０ｃが重ねて配置される。図２（ｂ）は、底面部２０ｂ，２０ｃ，２０ｄが配置された様子を示す上面図である。同図に示すように、底面部２０ｃの図中の矢印Ｙ方向の長さは、梱包箱１の底面の矢印Ｙ方向の長さの約半分である。また、底面部２０ｃと底面部２０ｄとは、互いに重なり合う領域のうち底面折り目２２ｄによって区切られた重なり領域Ｒ１が接着されている。上述したように、底面部２０ｃは、側面部１０ｃに設けられており、底面部２０ｄは、側面部１０ｄに設けられている。つまり、側面部１０ｃ（第３の側面部）に設けられた底面部２０ｃと、側面部１０ｄ（第４の側面部）に設けられた底面部２０ｄとにおいて、組み合わされたときに互いに重なり合う領域Ｒ１が接着されている。
【００２２】
底面部２０ｃの上には、底面部２０ａが重ねて配置される。図２（ｃ）は、底面部２０ａ，２０ｂ，２０ｃ，２０ｄが配置された様子を示す上面図である。同図に示すように、底面部２０ａの図中の矢印Ｙ方向の長さは、梱包箱１の底面の矢印Ｙ方向の長さの半分より大きい。この底面部２０ａの外縁部には、利用者が底面部２０ａを回動させるときに用いられる切り欠き部２３が設けられている。また、底面部２０ａと底面部２０ｂとは、互いに重なり合う領域のうち底面折り目２２ｂによって区切られた重なり領域Ｒ２が接着されている。上述したように、底面部２０ａは、側面部１０ａに設けられており、底面部２０ｂは、側面部１０ｂに設けられている。つまり、側面部１０ａ（第１の側面部）に設けられた底面部２０ａと、側面部１０ｂ（第２の側面部）に設けられた底面部２０ｂとにおいて、組み合わされたときに互いに重なり合う領域Ｒ２が接着されている。
【００２３】
このように構成された梱包箱１は、荷物の配送に使用される場合には、内部に荷物が収容され、蓋部３０ｂ，３０ｃ，３０ｄが梱包箱１の内側へと回動された後、蓋部３０ａが梱包箱１の内側へと回動されて、開口部が閉じられる。なお、荷物が収容されるときに、梱包箱１の底面に対応する大きさの第１の緩衝部材を底面部２０ａの上に置いて、底板として使用してもよい。また、第１の緩衝部材と同様の大きさで第１の緩衝部材よりも厚い第２の緩衝部材を荷物の上に置いて、荷物を押さえる用途に使用してもよい。
【００２４】
図３は、開口部が閉じられた状態の梱包箱１を示す上面図である。同図に示すように、蓋部３０ａの外面には、テープ基材３３と伝票基材３４とが設けられている。このテープ基材３３は、例えば塩化ビニル製のシート状の部材であり、粘着テープが繰り返し貼付される被貼付部材である。このテープ基材３３は、蓋部３０ａの外面において、開口部を塞いだときに側面部１０ｂ，１０ｃ，１０ｄと接する外縁を含む領域に設けられており、さらに側面部１０ｂ，１０ｃ，１０ｄ側にも設けられている。つまり、テープ基材３３は、蓋部３０ａの外面において、開口部を塞いだときに側面部１０ｂ乃至１０ｄと接する外縁を含む第１の領域と、その側面部１０ｂ乃至１０ｄの外面においてこの第１の領域と隣り合う第２の領域とに設けられている。これにより、蓋部３０ａを粘着テープで側面部１０ｂ，１０ｃ，１０ｄに止めたり、粘着テープを剥がして蓋部３０ａを開いたりすることができる。伝票基材３４は、例えば塩化ビニル製のシート状の部材であり、荷物の伝票が繰り返し貼付される部材である。この伝票基材３４は、蓋部３０ａの中央部に設けられている。これにより、梱包箱１に対して荷物の伝票を繰り返し貼ったり剥がしたりすることができる。
【００２５】
次に、梱包箱１の折りたたみ構造について説明する。まず、利用者は、図１に示すように、蓋部３０ｂ，３０ｃ，３０ｄを梱包箱１の上方に突出するように立てる。続いて、利用者は、梱包箱１の内部に手を入れて、底面部２０ａの切り欠き部２３に指をかけて、底面部２０ａを側面部１０ａの内面側に回動させる。これにより、底面部２０ａは、側面部１０ａの内面側へと回動される。上述したように、底面部２０ａと底面部２０ｂとは図２に示した重なり領域Ｒ２にて接着されている。そのため、底面部２０ａが回動されると、底面部２０ｂは、底面折り目２２ｂに沿って折り曲げられ、底面部２０ａと連動して回動される。また、底面部２０ｂの回動に伴って、底面部２０ｃが側面部１０ｃの内面側へと回動される。上述したように、底面部２０ｃと底面部２０ｄとは図２に示した重なり領域Ｒ１にて接着されている。そのため、底面部２０ｃが回動されると、底面部２０ｄは、底面折り目２２ｄに沿って折り曲げられ、底面部２０ｃと連動して回動される。これにより、底面部２０ａ，２０ｂ，２０ｃ，２０ｄの互いの組み合わせが解かれて、各々の底面部が、梱包箱１の内側に折りたたまれる。
【００２６】
続いて、利用者は、図４（ａ）に示すように、側面部１０ｂ及び蓋部３０ｂを側面折り目１１ｂに沿って折り曲げて側面部１０ｄ側へ押し込むとともに、側面部１０ｄ及び蓋部３０ｄを側面折り目１１ｄに沿って折り曲げて側面部１０ｂ側へ押し込む。これにより、側面部１０ｂ及び蓋部３０ｂが、側面折り目１１ｂに沿って梱包箱１の内側に折りたたまれるとともに、側面部１０ｄ及び蓋部３０ｄが、側面折り目１１ｄに沿って梱包箱１の内側に折りたたまれる。このとき、蓋部３０ｂ，３０ｄは、それぞれ側面部１０ｂ，１０ｄに対して折りたたまれていない状態で梱包箱１の内側に折りたたまれる。また、このとき、底面部２０ｂは、底面折り目２１ｂに沿って折り曲げられ、底面部２０ｄは、底面折り目２１ｄに沿って折り曲げられる。そして、底面部２０ａ，２０ｂ，２０ｃ，２０ｄは、それぞれ側面部１０ａ，１０ｂ，１０ｃ，１０ｄの内面に沿って配置される。これにより、図４（ｂ）に示すように、側面部１０ｂ，１０ｄ、蓋部３０ｂ，３０ｄ及び底面部２０ａ，２０ｂ，２０ｃ，２０ｄが、それぞれ梱包箱１の内側に折りたたまれて、梱包箱１が平たい形状になる。
【００２７】
続いて、利用者は、図５（ａ）に示すように、蓋部３０ａを蓋部３０ｂ，３０ｄに沿って起こしてから、蓋折り目３１ｈに沿って図中の矢印Ｐ１方向に折り曲げる。これにより、蓋部３０ｂ，３０ｃ，３０ｄの上縁が蓋部３０ａによって被覆される。つまり、蓋部３０ａ（第１の蓋部）は、蓋折り目３１ｈ（第２の蓋折り目）に沿って折り曲げられて、折りたたまれた状態における蓋部３０ｂ乃至３０ｄの上縁を覆う。上述したように、側面部１０ａの上辺と蓋折り目３１ｈとの間の距離Ｌ１は、蓋部３０ｂ，３０ｃ，３０ｄの突出方向の長さと等しい。よって、蓋部３０ａは、蓋部３０ｂ，３０ｃ，３０ｄの上縁にぴったりと沿って配置される。続いて、利用者は、図５（ｂ）に示すように、蓋部３０ａを蓋折り目３１ｉに沿って図中の矢印Ｐ２方向に折り曲げる。つまり、蓋部３０ａ（第１の蓋部）が、蓋折り目３１ｉ（第１の蓋折り目）に沿って側面部１０ｄ側に折り曲げられる。上述したように、蓋折り目３１ｈと蓋折り目３１ｉとの間の距離Ｌ２は、折りたたまれた状態における側面部１０ｂ，１０ｄの折りたたみ厚と等しい。よって、蓋部３０ａは、側面部１０ｃの外面にぴったりと沿って配置される。これにより、梱包箱１が折りたたまれた状態となる。
【００２８】
図６（ａ）は、折りたたまれた状態の梱包箱１を示す側面図であり、図６（ｂ）は、折りたたまれた状態の梱包箱１を図６（ａ）中の矢線Ａ方向から見た図である。同図に示すように、上述のように蓋部３０ａが折り曲げられることにより、側面部１０ｂ，１０ｃ，１０ｄが蓋部３０ａによって外側から押さえられるようになっている。これにより、梱包箱１は、折りたたみ厚が大きくなるのが抑制されて、コンパクトな形状のまま維持される。
【００２９】
［変形例］
以上が実施形態の説明であるが、この実施形態の内容は以下のように変形し得る。また、以下の各変形例を適宜組み合わせてもよい。
（変形例１）
上述した実施形態では、梱包箱１が紙製のダンボール箱である例を挙げて説明したが、梱包箱１の素材はこれに限らない。梱包箱１の素材としては、例えば布、プラスチックなどの樹脂、木材などが用いられてもよい。また、例えば、上述したテープ基材３３や伝票基材３４と同様の素材で、梱包箱１の外面を覆ってもよい。なお、樹脂や木材などの硬質な素材を用いる場合には、１枚の部材を折り目となる部分で分割し、分割した部材を蝶番などで接続することにより折り目を設ければよい。
【００３０】
（変形例２）
上述した実施形態では、蓋部３０ｂ，３０ｃ，３０ｄが設けられている構成を例に挙げて説明したが、蓋部３０ｂ，３０ｃ，３０ｄが設けられておらず、蓋部３０ａだけが設けられていてもよい。この場合、蓋部３０ａには、上述した蓋折り目３１ｈを設ける必要はない。また、上述した蓋折り目３１ｉは、折りたたまれた状態における側面部１０ｂ，１０ｄの折りたたみ厚だけ側面部１０ａの上辺から離れた位置に設けられる。そして、利用者は、上述と同様に側面部１０ｂ，１０ｄ及び底面部２０ａ，２０ｂ，２０ｃ，２０ｄを折りたたんだ後、蓋部３０ａを側面部１０ｂ，１０ｃ，１０ｄの上へと回動させて、蓋折り目３１ｉに沿って折り曲げる。つまり、蓋部３０ａ（第１の蓋部）は、折りたたまれた状態における側面部１０ｂ乃至１０ｄの上縁を覆い、さらに蓋折り目３１ｉ（第１の蓋折り目）に沿ってその側面部側に折り曲げられる。
【００３１】
（変形例３）
上述した実施形態では、側面折り目１１ｂ，１１ｄが、側面部１０ｂ，１０ｄの底辺の中心位置からこの底辺と直交する方向に延びるように設けられていたが、側面折り目１１ｂ，１１ｄが側面部１０ｂ，１０ｄの底辺の中心位置以外の位置から延びるように設けられていてもよい。また、側面折り目１１ｂ，１１ｄが、底辺に対して斜めに交わる方向に延びていてもよい。
また、上述した実施形態では、側面部１０ａの上辺、蓋折り目３１ｈ、蓋折り目３１ｉがいずれも平行に設けられていたが、蓋折り目３１ｈ，３１ｉの延びる方向はこれに限らない。例えば、蓋部３０ｂの高さが、蓋部３０ｄの高さよりも大きい場合には、側面部１０ａの上辺から蓋部３０ｂ側の蓋折り目３１ｈまでの距離を、側面部１０ａの上辺から蓋部３０ｄ側の蓋折り目３１ｈまでの距離よりも長くしてもよい。要するに、蓋折り目３１ｈは、蓋部３０ａにおいて、側面部１０ａの上縁から蓋部３０ｂ，３０ｃ，３０ｄの高さに応じた距離だけ離れた位置に、その上縁と対応する方向に延びるように設けられていればよい。
また、側面部１０ｂ及び蓋部３０ｂの折りたたみ厚が、側面部１０ｄ及び蓋部３０ｄの折りたたみ厚よりも大きい場合には、蓋折り目３１ｈから蓋部３０ｂ側の蓋折り目３１ｉまでの距離を、蓋折り目３１ｈから蓋部３０ｄ側の蓋折り目３１ｉまでの距離よりも長くしてもよい。要するに、蓋折り目３１ｉは、蓋折り目３１ｈから側面部１０ｂ，１０ｄの折りたたみ厚に応じた距離だけ離れた位置に設けられていればよい。
【００３２】
（変形例４）
梱包箱１の各部材の寸法は、図で示した例に限らない。例えば、配送に用いられる梱包箱の規格サイズに応じた寸法であってもよい。
また、底面部２０ａ，２０ｂ，２０ｃ，２０ｄの形状も、図２に示した例に限らない。例えば、底面部２０ｂ又は底面部２０ｄが、梱包箱１の底面の矢印Ｘ方向の長さの半分よりも長くてもよい。また、底面部２０ｃの図２中の矢印Ｙ方向の長さが、梱包箱１の底面の矢印Ｙ方向の長さの半分よりも長く、底面部２０ａの矢印Ｙ方向の長さが、梱包箱１の底面の矢印Ｙ方向の長さの約半分でもよい。要するに、複数の底面部が互いに組み合わされて、梱包箱１の底面を形成すればよい。
【００３３】
（変形例５）
上述した実施形態では、梱包箱１が、側面部１０ａ、底面部２０ａ及び蓋部３０ａを形成する部材と、それ以外の部位を形成する部材とで構成されている例を挙げて説明したが、梱包箱１を構成する部材はこれに限らない。例えば、梱包箱１を構成する各部が１つの部材で一体に形成されていてもよいし、梱包箱１を構成する各部がそれぞれ別の部材で形成され、接着されていてもよい。
【００３４】
（変形例６）
梱包箱１の形状は、図１に示した例に限らない。例えば、梱包箱１が、立方体の形状であってもよい。なお、この立方体は、直方体の特殊な形であるから、直方体の一種である。つまり、本発明でいう「直方体」とは、立方体をも含む概念である。また、梱包箱１が、直方体以外の形状をしていてもよい。要するに、梱包箱１が、荷物を収容できる空間を有していればよい。例えば、梱包箱１の形状が六角柱である場合には、六角形の蓋部３０ａが、梱包箱１の側面を形成する複数の側面部のいずれかに設けられる。そして、蓋部３０ａが設けられた側面部とその側面部に対向する側面部以外の側面部には、上述した側面折り目が設けられ、側面部がこの折り目に沿って折りたたまれる。このように、梱包箱１の形状が２ｎ角柱（ｎは自然数）である場合には、蓋部３０ａが設けられていない、対向する側面部と側面部とにそれぞれ側面折り目が設けられればよい。また、梱包箱１の形状が三角柱である場合には、三角形の蓋部３０ａが、梱包箱１の側面を形成する複数の側面部のいずれかに設けられる。そして、蓋部３０ａが設けられた側面部以外の側面部の一方には、上述した側面折り目が設けられ、側面部がこの側面折り目に沿って折りたたまれる。この場合、側面折り目は、複数の側面部のいずれか１つだけに設けられればよい。
【符号の説明】
【００３５】
１…梱包箱、１０ａ，１０ｂ，１０ｃ，１０ｄ…側面部、１１ｂ，１１ｄ…側面折り目、２０ａ，２０ｂ，２０ｃ，２０ｄ…底面部、３０ａ，３０ｂ，３０ｃ，３０ｄ…蓋部、３１ｈ，３１ｉ…蓋折り目。 
【図１】
2010260622.tif 000003
【図２】
2010260622.tif 000004
【図３】
2010260622.tif 000005
【図４】
2010260622.tif 000006
【図５】
2010260622.tif 000007
【図６】
2010260622.tif 000008